(57)【要約】【課題】  複数の表示内容のうち所望の表示内容を簡単な操作で選択して表示することができるようにする。【解決手段】  表示装置が、表示部（１６）と、表示部（１６）を制御するための制御部（１５）を有する。その表示部（１６）は、複数の記号（ｉ）を移動させながら表示するための主表示部（１２）と、それらの複数の記号（ｉ）のうちから選択された任意の１つの記号（ｉ）に応じた表示内容を表示するための副表示部（１８）を有する。さらに、表示装置が、主表示部（１２）に移動しながら表示されている複数の記号（ｉ）のうちの任意の１つの記号（ｉ）を選択するためのリモートコントローラ（１４）を有する。そして、任意の記号（ｉ）が主表示部（１２）の中で移動していって所定のゾーン（１７）に到来した時、リモートコントローラ（１４）が操作されることで、その任意の１つの記号（ｉ）が選択される。その選択された１つの記号（ｉ）に応じた表示内容が副表示部（１８）に表示される。【選択図】  図１
2006148695.tif 000002
【特許請求の範囲】
【請求項１】
表示部（１６）と、その表示部（１６）を制御するための制御部（１５）を有する表示装置において、表示部（１６）は、複数の記号（ｉ）を移動させながら表示するための主表示部（１２）と、主表示部（１２）に表示される複数の記号の中から選択された任意の１つの記号（ｉ）に応じた表示内容を表示するための副表示部（１８）を有し、表示部（１６）から離れた位置で、主表示部（１２）に移動しながら表示されている任意の１つの記号（ｉ）を選択するためのリモートコントローラ（１４）を設け、主表示部（１２）に移動しながら表示されている任意の１つの記号（ｉ）が主表示部（１２）の所定のゾーン（１７）に到来した時に、リモートコントローラ（１４）の操作によって、その任意の１つの記号（ｉ）が選択されて、その選択された１つの記号（ｉ）に応じた表示内容が副表示部（１８）に表示される構成にしたことを特徴とする表示装置。
【請求項２】
リモートコントローラ（１４）が押ボタン式のものであることを特徴とする請求項１に記載の表示装置。
【請求項３】
主表示部（１２）がスクロール式またはテロップ式に構成され、副表示部（１８）が主表示部（１２）に隣接して主表示部（１２）よりも大型の表示画面として構成されていることを特徴とする請求項１又は２に記載の表示装置。
【請求項４】
複数のサービス情報及び／又はコンテンツをリクエストにより選択的に表示できる表示装置において、サービス情報及び／又はコンテンツを表示するための表示部（１６）と、その表示部（１６）に表示されるサービス情報及び／又はコンテンツを選択するためのリモートコントローラ（１４）と、リモートコントローラ（１４）からの信号を受信するための受信部（１９）とを設け、表示部（１６）の一部（１２）に、リクエスト可能な複数のサービス情報及び／又はコンテンツに対応する名称又は記号（ｉ）を移動させながらテロップ式に表示し、所望の名称又は記号（ｉ）が特定のゾーン（１７）に位置している期間、その特定のゾーン（１７）にある名称又は記号（ｉ）の表示の様態が変化して、その期間にリモートコントローラ（１４）が操作されたときに表示の様態が変化した名称又は記号（ｉ）に対応するサービス情報及び／又はコンテンツが選択されて表示部（１６）に表示されることを特徴とする表示装置。
【請求項５】
名称又は記号（ｉ）を移動させながらテロップ式に表示させる部分にタッチパネルを設け、移動する名称又は記号（ｉ）に向けてタッチパネルにタッチすることで、タッチされた名称又は記号（ｉ）に対応したサービス情報及び／又はコンテンツが選択されて表示部（１６）に表示されることを特徴とする請求項４に記載の表示装置。
【請求項６】
リモートコントローラ（１４）と表示部（１６）との間の通信媒体が、光、超音波または電磁波であることを特徴とする請求項４又は５に記載の表示装置。
【請求項７】
リモートコントローラ（１４）の操作押釦（１４ｂ）が一個であることを特徴とする請求項４〜６のいずれか１項に記載の表示装置。
【請求項８】
選択されたサービス情報及び／又はコンテンツの表示エリアが、表示部（１６）内で特定されていて、他の選択されたサービス情報及び／又はコンテンツの表示エリアから独立していることを特徴とする請求項４〜７のいずれか１項に記載の表示装置。
【請求項９】
表示の様態が変化した名称又は記号（ｉ）に対応して更に別の名称又は記号（ｉ）が表示され、この別の名称又は記号（ｉ）に対応するサービス情報及び／又はコンテンツが選択されて表示部（１６）に表示されることを特徴とする請求項４〜８のいずれか１項に記載の表示装置。
【発明の詳細な説明】
【技術分野】
【０００１】
本発明は、表示装置に関する。例えば、本発明は、遊技場における大型の表示画面として利用可能な表示装置に関する。
【背景技術】
【０００２】
ある程度共通の目的を持った不特定の多数の人が集まるスペースに設置される表示装置が知られている。例えば、駅通路に設けられた情報サービス表示装置は、さまざまなコマーシャルメッセージやテレビの放送番組を放映している。
【０００３】
また、遊技場内の大型の表示装置では、多数の観者に対して、観者の希望する様々な情報を表示するサービスを提供している。例えば、パチスロ遊技場内の大型表示装置では、遊技客に対して、テレビ番組の放映、ＤＶＤコンテンツやＰＣによる遊技場の案内、イベントの紹介のほか、店内の遊技機の遊技状況を表示して、空台を知らせたり、遊技機別の出玉ランキングを表示したりするサービスが提供されている。
【０００４】
また、特許文献１には、金融機関で用いられる表示装置、とくに、金融機関の店頭に設置して、顧客に種々の情報を提供する金融機関店頭用の表示装置が示されている。
【特許文献１】実用新案登録第３０１３５１９号
【発明の開示】
【発明が解決しようとする課題】
【０００５】
しかしながら、このような表示装置において提供される情報は、通常、予め定められた時間的スケジュールに基いて、又は、情報の提供者側で一方的に決められて操作されて表示されるものである。そのため、観者は、所定の表示された情報を一方的に観ることができるにすぎなかった。
【０００６】
例えば、パチスロ遊技場で利用されている、液晶、レーザー、ＥＬＤなどの大型画面に種々のコンテンツを表示する大型表示装置においても、遊技客は所定の表示された情報を一方的に見るだけであった。とくに、遊技場で利用されている大型表示装置は、壁掛型が多く、遊技客は、その画面に手が届かず、表示内容を希望のものに自分で変更することができなかった。
【０００７】
そこで本発明は、複数の表示内容のうち所望の表示内容を簡単な操作で選択して表示することができる表示装置を提供することを目的としている。
【課題を解決するための手段】
【０００８】
本発明の解決手段を例示すると、以下の通りである。
【０００９】
（１）  表示部（１６）と、その表示部（１６）を制御するための制御部（１５）を有する表示装置において、表示部（１６）は、複数の記号（ｉ）を移動させながら表示するための主表示部（１２）と、主表示部（１２）に表示される複数の記号の中から選択された任意の１つの記号（ｉ）に応じた表示内容を表示するための副表示部（１８）を有し、表示部（１６）から離れた位置で、主表示部（１２）に移動しながら表示されている任意の１つの記号（ｉ）を選択するためのリモートコントローラ（１４）を設け、主表示部（１２）に移動しながら表示されている任意の１つの記号（ｉ）が主表示部（１２）の所定のゾーン（１７）に到来した時に、リモートコントローラ（１４）の操作によって、その任意の１つの記号（ｉ）が選択されて、その選択された１つの記号（ｉ）に応じた表示内容が副表示部（１８）に表示される構成にしたことを特徴とする表示装置。
【００１０】
（２）  リモートコントローラ（１４）が押ボタン式のものであることを特徴とする前述の表示装置。
【００１１】
（３）  主表示部（１２）がスクロール式またはテロップ式に構成され、副表示部（１８）が主表示部（１２）に隣接して主表示部（１２）よりも大型の表示画面として構成されていることを特徴とする前述の表示装置。
【００１２】
（４）  複数のサービス情報及び／又はコンテンツをリクエストにより選択的に表示できる表示装置において、サービス情報及び／又はコンテンツを表示するための表示部（１６）と、その表示部（１６）に表示されるサービス情報及び／又はコンテンツを選択するためのリモートコントローラ（１４）と、リモートコントローラ（１４）からの信号を受信するための受信部（１９）とを設け、表示部（１６）の一部（１２）に、リクエスト可能な複数のサービス情報及び／又はコンテンツに対応する名称又は記号（ｉ）を移動させながらテロップ式に表示し、所望の名称又は記号（ｉ）が特定のゾーン（１７）に位置している期間、その特定のゾーン（１７）にある名称又は記号（ｉ）の表示の様態が変化して、その期間にリモートコントローラ（１４）が操作されたときに表示の様態が変化した名称又は記号（ｉ）に対応するサービス情報及び／又はコンテンツが選択されて表示部（１６）に表示されることを特徴とする表示装置。
【００１３】
（５）  名称又は記号（ｉ）を移動させながらテロップ式に表示させる部分にタッチパネルを設け、移動する名称又は記号（ｉ）に向けてタッチパネルにタッチすることで、タッチされた名称又は記号（ｉ）に対応したサービス情報及び／又はコンテンツが選択されて画像表示部（１６）に表示されることを特徴とする前述の表示装置。
【００１４】
（６）  リモートコントローラ（１４）と表示部（１６）との間の通信媒体が、光、超音波または電磁波であることを特徴とする前述の表示装置。
【００１５】
（７）  リモートコントローラ（１４）の操作押釦（１４ｂ）が一個であることを特徴とする前述の表示装置。
【００１６】
（８）  選択されたサービス情報及び／又はコンテンツの表示エリアが、表示部（１６）内で特定されていて、他の選択されたサービス情報及び／又はコンテンツの表示エリアから独立していることを特徴とする前述の表示装置。
【００１７】
（９）  表示の様態が変化した名称又は記号（ｉ）に対応して更に別の名称又は記号（ｉ）が表示され、この別の名称又は記号（ｉ）に対応するサービス情報及び／又はコンテンツが選択されて表示部（１６）に表示されることを特徴とする前述の表示装置。
【発明の効果】
【００１８】
本発明によれば、複数の表示内容（情報）を表示でき、そのうちの所望の表示内容を簡単な操作で選択して表示することができる。
【００１９】
主表示部をスクロール式またはテロップ式で構成し、副表示部を主表示部に隣接して主表示部よりも大型の表示画面として構成すれば、主表示部を見ながら大型の表示画面に表示される表示内容を変更（選択）できる。
【００２０】
本発明は、不特定多数の観者に提供する情報を種々のリクエスト（選択）に応じて表示する場合に好ましく適用できる。リクエストの方式としては、たとえば、一定時間の間に最も早く選択された内容（記号）に応じて表示する方式も採用できるし（優先式）、一定時間の間に最も多く選択された内容（記号）に応じて表示する方式も採用できる（投票式）。
【００２１】
もっとも、例えば、本発明を遊技場の大型画面装置に適用した場合は、不特定の遊技客がサービスを受けるため（表示内容を見るため）、一人の客の希望による選択が他の客の希望に沿わないことも考えられる。この場合であっても、その場の客の多くが希望する種類の情報が選択できれば、遊技客同士の接触が期待でき、一方的な従来の表示方式に比較してサービスの優位性があり、遊技場の集客力アップやイメージアップも期待できる。
【発明を実施するための最良の形態】
【００２２】
本発明の表示装置は、表示部と、表示部を制御するための制御部を有する。表示部は、１つ又は複数の記号を移動させながら表示するための主表示部と、その主表示部に表示される任意の１つの記号に応じた表示内容を表示するための副表示部を有する。さらに、主表示部に移動しながら表示されている複数の記号の中から任意の１つの記号を選択するためのリモートコントローラが表示部から離れて設けられる。このリモートコントローラは、持ち運びが容易なものにするのが好ましい。主表示部において任意の記号が所定のゾーンに到来した時に、客の一人がリモートコントローラを操作することで所望の任意の１つの記号が選択される。そして、その選択された１つの記号に応じた表示内容が副表示部に表示される。
【００２３】
主表示部が帯状のスクロール式またはテロップ式のものとして構成され、副表示部がその帯状の主表示部の真上、真横又は真下に隣接して大型の長方形の表示画面として配置されるのが好ましい。もっとも、ある記号について副表示部の表示エリアを特定することで、例えば特定の人気テレビ番組をその表示エリアに、他の記号の選択に関係なく表示させることができる（マルチ表示）。
【００２４】
本発明において、記号は、最も広義に解するものとし、狭義の記号のほか、文字、図形等を含む。例えば、本発明の表示装置を遊技場の大型表示画面に適用する場合には、表示内容として種々のサービス情報、コンテンツを表示可能であり、例えば、テレビのチャンネル、イベントの紹介、同じ店内の設置遊技台の簡単な動作説明、遊技台の空き情報、遊技台の出玉情報、出玉ランキング、プレーヤＰＣの中の特別なコンテンツ等を表示できるようにする。さらに、記号として、これらのタイトル又はインデックスを表示できるようにする。
【００２５】
リモートコントローラは、表示部のところでも、表示部から離れた所からでも、主表示部で表示される記号を所望のとおりに選択できるものであればよく、光、超音波、電磁波などを利用する形式のものが好ましい。本発明でいうリモートコントローラは有線のものを含む。
【００２６】
本発明において、テロップ式は、最も広義に解釈するものとし、テレビ放送の他、映像情報や文字情報に付帯して移動しながら表示する方式のものを含む。
【００２７】
主表示部は、文字や絵のような記号を数多く移動させながら表示（スクロール表示）することができるものを含む。このような表示の一例として、テレビ放送で流される字幕等のテロップ（ｔｅｌｅｖｉｓｉｏｎ  ｏｐａｑｕｅ  ｐｒｏｊｅｃｔｏｒ）がある。
【００２８】
以下に示す実施例において、記号を移動させる方向は、左右の一方向のみが示されているが、上下左右いずれの方向であってもよい。
【００２９】
以下に示される実施例においては、主表示部の中から選択された１つの記号に応じて表示内容が一対一の関係で副表示部に表示される構成が示されているが、一定時間の間に最も早く選択された記号に応じた表示内容が一定時間表示される構成でもよい（優先式）。そうでなく、一定時間の間に最も多く選択された記号に応じた表示内容が一定時間表示される構成にしてもよい（投票式）。このような場合、複数の客がそれぞれリモートコントローラを持って、表示装置をコントロールする構成にすることもできる。
【００３０】
本発明の表示装置は、遊技場における大型表示画面に好適に利用可能であるが、本発明は、この種のものに限定されない。例えば、バス待合室、バスセンター、駅待合室や、駅、空港、ビル、銀行、ホテルなどのロビーや、公園、駅前、商店街、スーパー、コンビニ、百貨店等の広場又はコンコースでも、本発明の表示装置は利用可能である。
【００３１】
本発明の表示装置は、選択を前述のような優先式又は投票式にして音楽映像等を表示する自動音楽映像等の表示装置としても利用可能である。
【００３２】
好ましくは、リモートコントローラは、シンプル化と小型化を図るために、ボタン操作のみとし、表示画面（たとえば液晶表示画面）のないリモートコントローラとする。表示アイテム選択のためのテロップ又はスクロールは、コントロールされる主表示部の１部に流れ、選択するアイテムの色又は表示様式を変化させて、他のものと識別しやすくし、そのタイミングでリモートコントローラの押ボタンを押すことによって表示の切換えを行うのが好ましい。このようにすれば、選択操作が容易かつ確実になるだけでなく、リモートコントローラは、押ボタン１個ですみ、他に操作手段が不要となり、安価でシンプルなものとなる。
【００３３】
なお、本発明の表示装置は、表示画面に手が届かないような壁掛型の大型表示装置に好適に利用可能であるが、表示画面に手が届くタイプの表示装置の場合は、押ボタン（操作押釦）の代わりに、又は押ボタン（操作押釦）に追加して、特定箇所のみにタッチパネルを設けてもよい。タッチパネルはコストが安いため、簡単に情報選択の利便性を向上させることができる。
【００３４】
本発明の適用範囲は、テレビ、ＶＴＲ、ＤＶＤ、各種時計、遊技場用大型表示装置など、多種多様の表示装置が挙げられる。とくにＡＶ機器のコントロールに適用するのが好ましい。
【実施例】
【００３５】
以下、図面を参照して、本発明の好適な実施例を説明する。
【００３６】
図１は、本発明による表示装置を遊技場における表示装置として適用した例を示す概要図である。図２は、図１中の表示部を拡大して示す概略正面図である。
【００３７】
表示装置１０は、表示部１６と、表示部１６を制御するための制御部として機能するプレーヤＰＣ１５と、持ち運び可能なリモートコントローラ１４を備えている。
【００３８】
表示部１６は、遊技場に設置される大型の液晶表示画面として構成されていて、主表示部１２としてテロップ式の表示画面を有する。
【００３９】
テロップ式の主表示部１２は、記号ｉを矢印Ｘ方向（テロップ移動方向ともいう）に移動させながら表示（テロップ表示又はスクロール表示ともいう）をする。テロップ式の主表示部１２には、記号ｉとして“イベント”、“ＣＨ１”、“ＣＨ２”、“ＣＨ３”、“出玉数”、“映画”、“空”などの文字がテロップ式に表示される。これらの文字は、停止させずに流し続けて、いわゆるテロップ表示又はスクロール表示をする。
【００４０】
テロップ式の主表示部１２の横方向中央領域には、選択用の所定の狭いゾーン１７が設けられている。記号ｉがその所定のゾーン１７に到来すると、そのゾーン１７に位置する記号ｉの色が変化するようになっている。
【００４１】
テロップ式の主表示部１２の上側には、主表示部１２の真上に隣接して副表示部１８として液晶の表示画面が設けられている。副表示部１８の表示画面は、主表示部１２に表示される複数のいずれの任意の１つの記号ｉに対しても所定の表示内容（たとえばサービス情報及び／又はコンテンツ）を表示するための画面である。
【００４２】
図２に示されているように、主表示部１２内の１つの記号ｉに応じて、所定の表示内容が副表示部１８の表示画面に表示される。
【００４３】
副表示部１８の表示内容の一例を挙げる。たとえば、“イベント”の場合、店舗で行われるイベントの紹介内容が表示される。また、“ＣＨ１”、“ＣＨ２”、“ＣＨ３”の場合、それぞれのチャンネルのテレビ放送が表示される。さらに、“出玉数”の場合、遊技台の出玉数情報が表示される。“映画”の場合、プレーヤＰＣ１５から送信される映画コンテンツが表示される。“空”の場合は、遊技台の空き情報が表示される。さらに、副表示部１８の表示画面には、設置遊技台の簡単な動作説明、出玉ランキング、大当回数、新規導入台の宣伝、店舗情報等も表示され得る。その他、いろいろなものを表示しうる。
【００４４】
テロップ式の主表示部１２の下側には、リモート信号の受信部、たとえばリモート受光器１９が設けられている。リモート受光器１９は、後述するリモートコントローラ１４からの光や超音波を受光する。
【００４５】
リモート信号の受信部、たとえばリモート受光器１９は、表示部１６と別体にすることもできる。
【００４６】
プレーヤＰＣ１５は、テロップ式の主表示部１２に複数の記号ｉを表示し、副表示部１８の表示画面にそこから選択された１つの記号に対応する表示内容を表示するとともに、これらの表示速度等を制御するためのものである。プレーヤＰＣ１５は、受光部１９が受光したリモートコントローラ１４からの光や超音波に応じて、表示画面１８に表示される表示内容を制御する。
【００４７】
プレーヤＰＣ１５には、テロップ式の主表示部１２に表示される記号ｉ及び表示画面１８に表示される表示内容等を確認するためのモニタ２０、操作用のキーボード２２、ＤＶＤプレーヤ２４などが接続されている。
【００４８】
ＤＶＤプレーヤ２４から出力された映像を、プレーヤＰＣ１５を介して表示部１６に表示可能である。プレーヤＰＣ１５には、その他、図示省略したＴＶチューナ、遊技場管理装置等が接続され得る。
【００４９】
図３は、リモートコントローラの一例を示す概略斜視図である。
【００５０】
図３のリモートコントローラ１４は、主表示部１２に移動しながら表示されている任意の記号ｉを選択するためのものであり、構成および操作がシンプルで、本体１４ａ、１つの押ボタン（たとえば操作押釦）１４ｂ、発信部１４ｃなどからなる。図３のリモートコントローラ１４には、表示画面が設けられていない。
【００５１】
プレート状の本体１４ａの表面に１つの押ボタン１４ｂが設けられている。押ボタン１４ｂを押すことで発信部１４ｃから光や超音波などが発信される。主表示部１２に移動しながら表示されている任意の１つの記号ｉが所定のゾーン１７に到来した時に、リモートコントローラ１４が操作されることで、その所望の任意の１つの記号ｉが選択される。そして、その選択された１つの記号ｉに応じた表示内容が副表示部１８の表示画面に表示される。
【００５２】
表示装置１０の１つの好ましい使用例を説明する。
【００５３】
複数の記号ｉが主表示部１２においてテロップ移動方向Ｘに移動しているときに、操作者（たとえば遊技客）が、主表示部１２にテロップ表示されている複数の記号の中から所望の１つの記号ｉを選択する場合、その所望の１つの記号ｉが所定のゾーン１７に到来したタイミング（たとえば、その選択された記号ｉの色が変化したタイミング）で、押ボタン１４ｂを押す。所望の１つの記号ｉが適切に選択されたか否かは、公知の技術を利用して実施することができる。例えば、プレーヤＰＣ１５は、押ボタン１４ｂが押圧されたときの記号ｉの現在位置を取得し、ゾーン１７の位置と記号ｉの現在位置を比較する。ゾーン１７の位置と記号ｉの現在位置が所定の誤差の範囲内で一致するとき、プレーヤＰＣ１５は一つの記号ｉが適切に選択されたと判断する。ゾーン１７の位置と記号ｉの現在位置が所定の誤差の範囲内で一致しないときは、プレーヤＰＣ１５は記号ｉが適切に選択されていないと判断する。
【００５４】
例えば、図２において、“ＣＨ３”の記号が移動していって、ゾーン１７に到来した時、リモートコントローラ１４の押ボタン１４ｂがタイミングよく押圧されると、“ＣＨ３”の記号が選択されることになる。その選択された記号“ＣＨ３”に応じた表示内容であるテレビ放送内容が表示画面１８に表示される。こうして、遊技客はテロップ表示されている複数の記号ｉの中から所望の１つの記号ｉを選択することができる。それにより、複数の表示内容のうち所望の表示内容を簡単な操作で選択して表示できるのである。
【００５５】
図４は、表示部（画像表示部）１６に表示される記号の別の例を示す概略正面図である。図５は、図４に示された記号に応じて更に別の記号が表示される場合の例を示す。
【００５６】
図４において、テロップ式の主表示部１２には、記号ｉとして“イベント”、“テレビ”、“飲食”、“遊技”、“駐車場”、及び“交通”などの文字が表示されている。
【００５７】
ここで、記号“イベント”の一部または全体がゾーン１７に位置しているときに、リモートコントローラ１４の押釦１４ｂが押圧されると、イベントに関連した種々の記号（名称）ｉ１がテロップ表示される。図５に示された例においては、“松竹座”、“京劇”、“スカラ座”、“都立美”、“国立美”、“吉本”等の記号（名称）ｉ１がテロップ表示される。
【００５８】
同様に、記号“テレビ”が選択されると、“ＣＨ１”、“ＣＨ２”、“ＣＨ３”、“ＣＨ４”、“ＣＨ５”、“ＣＨ６”等の記号（名称）ｉ２が更にテロップ表示される。
【００５９】
同様に、記号“飲食”が選択されると、“Ａ亭”、“Ｂ亭”、“Ｃ亭”、“レストＡ”、“レストＢ”、“レストＣ”等の記号（名称）ｉ３が更にテロップ表示される。
【００６０】
同様に、記号“遊技”が選択されると、“稼動”、“出玉”、“機種”、“イベント”等の記号（名称）が更にテロップ表示される。
【００６１】
同様に、記号“駐車場”が選択されると、“ＡＢ”、“ＣＤ”、“ＥＦ”、“ＧＨ”、“ＩＪ”の記号（名称）が更にテロップ表示される。
【００６２】
このように、リモートコントローラが操作されたとき、表示の様態が変化した名称又は記号ｉに対応して更に別の名称又は記号ｉを表示することにより、多くのサービス情報及び／又はコンテンツを種類別に分類してその中から所望のものを迅速かつ容易に選択できるようになっている。
【００６３】
図６は、所定のゾーンにおいて記号の表示様態が変化する状態の一例を示す。記号の例として「飲食」の文字が示されている。「飲食」の文字が所定のゾーン１７に到来すると、そのゾーンに位置する「飲食」の文字ａとそのバックｂの色が変化するようになっている。
【００６４】
図７は、本発明による表示装置のブロック図の一例を示す。
【００６５】
画像制御部７１は、リモートコントローラ受信部７２で受信された信号のタイミングに基づいて、ＤＶＤ７３、ＶＴＲ７４、サービスコンテンツ作成ＰＣ７５から入力された画像を制御する。画像作成部７６は、テレビ受信部７７や画像制御部７１から送信されてきた画像を表示部７８に表示させる。
【００６６】
例えば、主表示部１２の所定のゾーン１７に“テレビ”の記号が位置しているときに、リモートコントローラ１４が操作されると、画像制御部７１は、テレビ受信部７７により受信されたテレビ放送内容を、画像作成部７６を経て表示部７８に表示する。或いは、主表示部１２の所定のゾーン１７に“イベント”の記号が位置しているときに、リモートコントローラ１４が操作されると、画像制御部７１はＤＶＤ７３、ＶＴＲ７４の内容を画像作成部７６を経て表示部７８に表示させる。
【００６７】
なお、サービスコンテンツ作成ＰＣ７５には、そこで作成されるサービスコンテンツを表示するコンテンツ表示部７９や、入力部８０を備えている。
【００６８】
図８は、リモートコントローラの別の例を示す概略斜視図である。
【００６９】
リモートコントローラ３４は、本体３４ａ、一個の押釦（操作押釦）３４ｂ、発信部３４ｃなどからなる。プレート状の本体３４ａの表面に一個の押釦３４ｂが設けられている。押釦３４ｂを押すことで発信部３４ｃから光、超音波、電磁波が発信される。
【００７０】
なお、本体３４ａの上面には説明銘板３４ｄが取り付けてある。説明銘板３４ｄに記載される説明の一例を挙げると、例えば、「色が変わるタイミングで押して下さい」である。
【００７１】
本発明は、前述の図示された実施例に限定されない。たとえば、主表示部に表示させる記号の内容や、記号に応じて副表示部に表示される表示内容は任意である。また、本発明は、装置のみでなく、方法としても構成しうる。
【図面の簡単な説明】
【００７２】
【図１】本発明による表示装置を遊技場における表示装置に適用した例を示す概要図である。
【図２】図１中の表示部を示す概略正面図である。
【図３】リモートコントローラの一例を示す概略斜視図である。
【図４】表示部（画像表示部）に表示される記号の別の例を示す概略正面図である。
【図５】図４に示された記号に応じて更に別の記号が表示される場合の例を示す。
【図６】所定のゾーンにおいて記号の表示様態が変化する状態の一例を示す。
【図７】本発明による表示装置のブロック図の一例を示す。
【図８】リモートコントローラの別の例を示す概略斜視図である。
【符号の説明】
【００７３】
１０  表示装置
１２  主表示部
１４、３４  リモートコントローラ
１４ａ、３４ａ  本体
１４ｂ、３４ｂ  押ボタン
１４ｃ、３４ｃ  発信部
１５  プレーヤＰＣ（制御部）
１６  表示部
１７  ゾーン
１８  副表示部
１９  リモート受光器のような受信部
２０  モニタ
２２  キーボード
２４  ＤＶＤプレーヤ
３４ｄ  説明銘板
【図１】
2006148695.tif 000003
【図２】
2006148695.tif 000004
【図３】
2006148695.tif 000005
【図４】
2006148695.tif 000006
【図５】
2006148695.tif 000007
【図６】
2006148695.tif 000008
【図７】
2006148695.tif 000009
【図８】
2006148695.tif 000010